【手続補正書】
【提出日】平成27年1月20日(2015.1.20)
【手続補正１】
【補正対象書類名】明細書
【補正対象項目名】０００４
【補正方法】変更
【補正の内容】
【０００４】
ところで、上記特許文献に記載されたようなスロットマシンの中には、所定の発光装置を発光した状態のままにし、無駄にエネルギーを消費しているという問題がある。
【手続補正２】
【補正対象書類名】明細書
【補正対象項目名】０００５
【補正方法】変更
【補正の内容】
【０００５】
本発明の目的は、無駄にエネルギーを消費しない省エネを実現することである。
【手続補正３】
【補正対象書類名】明細書
【補正対象項目名】０００６
【補正方法】変更
【補正の内容】
【０００６】
以上の課題を解決するため、請求項１に記載の発明は、電気的駆動源の駆動力により複数の図柄を変動表示可能な複数のリールと、該変動表示を伴うゲームの実行毎に入賞に当選か否かを内部抽選する抽選手段と、を備え、
賭数の設定後の開始操作に基づきゲームを開始し、停止操作に基づき停止させたゲームの結果が前記内部抽選に当選した入賞に対応する図柄組合せ態様となった場合に所定の遊技価値を付与することが可能なスロットマシンにおいて、
遊技者が操作可能な複数の操作部と、
前記ゲーム中の停止操作に基づき、前記複数のリールを個別に停止表示させることが可能な停止制御手段と、
前記リールの周囲において遊技を演出する画像を表示することが可能な画像表示装置と、
前記画像表示装置の表示制御を行うことが可能な表示制御手段と、
前記複数の操作部を発光させることが可能な操作部発光手段と、
前記操作部発光手段の発光制御を行うことが可能な操作部発光制御手段と、を備え、
前記表示制御手段は、
前記画像表示装置の表示を通常表示状態と、当該通常表示状態よりも暗い暗表示状態と、に変更可能であり、
前記複数の操作部のうち一の操作部が操作されてから所定期間が経過したことに対応して、前記画像表示装置の表示を前記暗表示状態に変更し、
前記操作部発光制御手段は、
前記操作部を第１状態と、当該第１状態よりも消費電力の少ない第２状態と、に変更可能であり、
前記複数の操作部のうち一の操作部が操作された後に、前記操作部を前記第２状態に変更可能であることを特徴とする。
【手続補正４】
【補正対象書類名】明細書
【補正対象項目名】０００７
【補正方法】変更
【補正の内容】
【０００７】
ここで、操作部とは、停止操作を行うためのリールストップボタン、賭数を設定するためのベットボタン、ゲームを開始させるためのスタートレバー、クレジットを払い戻すための払戻ボタン、演出操作等を行うための演出ボタンなどである。
【手続補正５】
【補正対象書類名】明細書
【補正対象項目名】０００８
【補正方法】変更
【補正の内容】
【０００８】
請求項１に記載の発明によれば、省エネを実現することができる。
【手続補正６】
【補正対象書類名】明細書
【補正対象項目名】０００９
【補正方法】変更
【補正の内容】
【０００９】
請求項２に記載の発明は、請求項１に記載のスロットマシンであって、
前記操作部が前記第２状態に変更された場合に、前記リールの変動表示を低速に変換することが可能な速度変換手段を備え、
前記停止制御手段は、前記リールが低速で変動表示している間は、前記停止操作が行われた場合であっても当該リールを停止させないことを特徴とする。
【手続補正７】
【補正対象書類名】明細書
【補正対象項目名】００１０
【補正方法】変更
【補正の内容】
【００１０】
請求項２に記載の発明によれば、遊技者に停止操作を行わせるだけの時間を与えてからリールの変動表示を低速に変換することで、遊技者が停止操作を行うことができない状況（離席している等）に絞って省エネを実現することができる。
また、リールが低速で変動表示している間は、停止操作が行われた場合であっても当該リールを停止させないので、リールが低速となったことによって目押し操作が簡単となってしまうことを防止することができる。そのため、リールが低速となるまで待ってから停止操作をするような稼動率が低下するような事態を招くことがない。
ここで、低速とは、ゲームの開始後に停止操作が可能となるリールの回転速度である通常速度よりも遅い回転速度である。なお、通常速度よりも遅ければどのような回転態様でも良く、逆回転や間欠的な回転、回転速度の経時的な変化などを行うようにしても良い。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】変更
【補正の内容】
【００２２】
本発明によれば、省エネを実現することができる。
【手続補正２０】
【補正対象書類名】特許請求の範囲
【補正対象項目名】全文
【補正方法】変更
【補正の内容】
【特許請求の範囲】
【請求項１】
電気的駆動源の駆動力により複数の図柄を変動表示可能な複数のリールと、該変動表示を伴うゲームの実行毎に入賞に当選か否かを内部抽選する抽選手段と、を備え、
賭数の設定後の開始操作に基づきゲームを開始し、停止操作に基づき停止させたゲームの結果が前記内部抽選に当選した入賞に対応する図柄組合せ態様となった場合に所定の遊技価値を付与することが可能なスロットマシンにおいて、
遊技者が操作可能な複数の操作部と、
前記ゲーム中の停止操作に基づき、前記複数のリールを個別に停止表示させることが可能な停止制御手段と、
前記リールの周囲において遊技を演出する画像を表示することが可能な画像表示装置と、
前記画像表示装置の表示制御を行うことが可能な表示制御手段と、
前記複数の操作部を発光させることが可能な操作部発光手段と、
前記操作部発光手段の発光制御を行うことが可能な操作部発光制御手段と、を備え、
前記表示制御手段は、
前記画像表示装置の表示を通常表示状態と、当該通常表示状態よりも暗い暗表示状態と、に変更可能であり、
前記複数の操作部のうち一の操作部が操作されてから所定期間が経過したことに対応して、前記画像表示装置の表示を前記暗表示状態に変更し、
前記操作部発光制御手段は、
前記操作部を第１状態と、当該第１状態よりも消費電力の少ない第２状態と、に変更可能であり、
前記複数の操作部のうち一の操作部が操作された後に、前記操作部を前記第２状態に変更可能であることを特徴とするスロットマシン。
【請求項２】
前記操作部が前記第２状態に変更された場合に、前記リールの変動表示を低速に変換することが可能な速度変換手段を備え、
前記停止制御手段は、前記リールが低速で変動表示している間は、前記停止操作が行われた場合であっても当該リールを停止させないことを特徴とする請求項１に記載のスロットマシン。